(57)【要約】【課題】情報端末装置によって読取対象の情報を読み取れたか否かを容易に視認でき、読取対象の情報を一括して非接触で読み取る情報読取作業を効率的に行えること。【解決手段】情報端末装置との間で所定の電波を送受信するアンテナ２と該所定の電波をもとに駆動電力を生成する電力生成部３とを備え、前記情報端末装置からの指示に基づく情報書込処理または情報読取処理を行う情報記憶媒体において、前記情報書込処理または前記情報読取処理が完了した旨を可視表示する表示部１２と、前記所定の電波をもとに表示部１２の表示駆動電力を生成する電力生成部５と、前記情報書込処理または前記情報読取処理が完了したか否かを判断し、完了したと判断した場合、スイッチ回路１１の駆動制御を行って、表示部１２に対する表示駆動電力の供給制御を行い、この完了した旨を表示部１２に可視表示させる制御部１０と、を備える。【選択図】        図１
2006053653.tif 000002
【特許請求の範囲】
【請求項１】
情報端末装置との間で所定の電波を送受信するアンテナが設けられ、該所定の電波をもとに駆動電力を生成する電力生成手段を備え、前記所定の電波を介して前記情報端末装置から受信した書込対象の情報を記憶する情報書込処理または読取対象の情報を所定の電波を介して情報端末装置に送信する情報読取処理を行う情報記憶媒体において、
前記情報書込処理または前記情報読取処理が完了した旨を可視表示する表示手段と、
前記所定の電波をもとに前記表示手段の表示駆動電力を生成する補助電力生成手段と、
前記情報書込処理または前記情報読取処理が完了したか否かを判断し、完了したと判断した場合、前記表示手段に対し、前記表示駆動電力の供給制御を行って前記完了した旨を可視表示させる制御手段と、
を備えたことを特徴とする情報記憶媒体。
【請求項２】
前記補助電力生成手段は、受信した前記所定の電波を電気信号に変換する補助アンテナを備え、該電気信号をもとに前記表示駆動電力を生成することを特徴とする請求項１に記載の情報記憶媒体。
【請求項３】
前記制御手段は、前記表示駆動電力の供給制御を行ってからの経過時間を計時し、該経過時間が所定時間に達した場合、前記情報書込処理または前記情報読取処理に関する応答情報を前記情報端末装置に送信することを特徴とする請求項１または２に記載の情報記憶媒体。
【請求項４】
前記制御手段は、記憶された前記読取対象の情報を読み取った場合に、前記情報読取処理が完了したと判断することを特徴とする請求項１〜３のいずれか一つに記載の情報記憶媒体。
【請求項５】
前記制御手段は、前記情報端末装置による前記読取対象の情報の読取完了を示す応答情報を検知した場合に、前記情報読取処理が完了したと判断することを特徴とする請求項１〜３のいずれか一つに記載の情報記憶媒体。
【請求項６】
前記制御手段は、前記書込対象の情報を記憶した場合に、前記情報書込処理が完了したと判断することを特徴とする請求項１〜５のいずれか一つに記載の情報記憶媒体。
【請求項７】
前記アンテナは、前記補助アンテナとの間の相互誘導を加味し、前記情報端末装置との間で送受信される所定の電波の周波数とほぼ同じ共振周波数に設定されることを特徴とする請求項２〜６のいずれか一つに記載の情報記憶媒体。
【請求項８】
前記補助アンテナは、前記アンテナとの間の相互誘導が小さいことを特徴とする請求項２〜６のいずれか一つに記載の情報記憶媒体。
【請求項９】
前記補助アンテナのループ径は、前記アンテナのループ径よりも小さいことを特徴とする請求項８に記載の情報記憶媒体。
【請求項１０】
前記アンテナおよび前記補助アンテナは、ほぼ同一平面上に配置されたことを特徴とする請求項２〜９のいずれか一つに記載の情報記憶媒体。
【発明の詳細な説明】
【技術分野】
【０００１】
この発明は、所定の電波を介して情報端末装置から受信した書込対象の情報を記憶しまたは読取対象の情報を所定の電波を介して情報端末装置に送信する情報記憶媒体に関するものである。
【背景技術】
【０００２】
従来から、不揮発性メモリを有する小型の集積回路と無線通信用のアンテナとを組み合わせたＲＦＩＤ（Radio Frequency Identification）タグまたはカード状の樹脂製板にＲＦＩＤタグを埋設した非接触ＩＣカード等の情報記憶媒体と、この情報記憶媒体に記憶された情報を読み取りまたはこの情報記憶媒体に所望の情報を書き込むリード／ライト機能を備えたリーダライタまたはＰＤＡ（Personal Digital Assistant）等の情報端末装置とを用いたＲＦＩＤシステムが開発されている。
【０００３】
一般に、この情報記憶媒体は、情報端末装置が電磁誘導方式またはマイクロ波方式等によって送出した電波によって活性化されるとともに、この電波を介して情報端末装置から受信した指示情報に基づき、この情報端末装置から受信した情報を記憶しまたは記憶した情報をこの情報端末装置に送信する。これによって、この情報端末装置は、この情報記憶媒体に所望の情報を書き込むことができまたはこの情報記憶媒体に記憶された情報を読み取ることができる。この場合、この情報記憶媒体は、この情報端末装置のアンテナとほぼ同じ共振周波数に設定されたアンテナであって、たとえば、１２５〜５３０［ｋＨｚ］帯、４．９［ＭＨｚ］帯、１３．５６［ＭＨｚ］帯、または２．４５［ＧＨｚ］帯等の周波数を共振周波数として設定されたアンテナを有する。
【０００４】
このような情報記憶媒体と情報端末装置とを用いたＲＦＩＤシステムには、複数の情報記憶媒体にそれぞれ記憶された各情報を一括して読み取れる点、情報記憶媒体に記憶できる情報量（６４〜数１００バイト）が多い点、情報記憶媒体に記憶された情報を更新できる点、情報記憶媒体を超小型に構成できる点、情報記憶媒体と情報端末装置との間に障害物が存在しても情報通信が可能である点等の利点がある。たとえば、複数の情報記憶媒体にそれぞれ記憶された各情報を一括して読み取れる機能（アンチコリジョン機能）は、情報記憶媒体が設けられた複数の物品に関する情報管理を行う上で有用である。このため、流通業界をはじめとする様々な業種において、このＲＦＩＤシステムの有益性が注目されている。このような情報記憶媒体の一例として、内蔵メモリ内に記憶される情報が可視情報として視認可能に記録された感熱記録層を有し、所定の電波を介してこの情報を読み取ることができない場合であっても、この可視情報を視認することによって、この情報を読み取ることができる非接触ＩＤタグがある（特許文献１参照）。
【０００５】
【特許文献１】特開２０００−３０６０６３号公報
【発明の開示】
【発明が解決しようとする課題】
【０００６】
しかしながら、上述した特許文献１に記載された非接触ＩＤタグに例示される従来の情報記憶媒体では、所定の電波を介して情報端末装置に読取対象の情報を送信する情報読取処理の過程にかかわらず、予め感熱記録層に視認可能に記録された情報を外部に常時表示するように構成されているので、この情報読取処理を行う毎に、この情報読取処理が完了したことを外部に表示することは困難である。このため、使用者が情報端末装置を用いて複数の情報記憶媒体から情報を一括して非接触で読み取る情報読取作業を行った場合、これら複数の情報記憶媒体のうち、この情報読取作業によって情報が読み取れた情報記憶媒体と読み取れなかった情報記憶媒体とを判別する作業が煩雑化する場合が多い。これに起因して、作業対象の全ての情報記憶媒体に対し、この情報読取作業を達成するために多大な時間と労力がかかるという問題点があった。
【０００７】
この発明は、上記事情に鑑みてなされたものであって、情報端末装置によって読取対象の情報を読み取れたか否かを容易に視認でき、読取対象の情報を一括して非接触で読み取る情報読取作業を効率的に行える情報記憶媒体を提供することを目的とする。
【課題を解決するための手段】
【０００８】
上述した課題を解決し、目的を達成するために、請求項１にかかる情報記憶媒体は、情報端末装置との間で所定の電波を送受信するアンテナが設けられ、該所定の電波をもとに駆動電力を生成する電力生成手段を備え、前記所定の電波を介して前記情報端末装置から受信した書込対象の情報を記憶する情報書込処理または読取対象の情報を所定の電波を介して情報端末装置に送信する情報読取処理を行う情報記憶媒体において、前記情報書込処理または前記情報読取処理が完了した旨を可視表示する表示手段と、前記所定の電波をもとに前記表示手段の表示駆動電力を生成する補助電力生成手段と、前記情報書込処理または前記情報読取処理が完了したか否かを判断し、完了したと判断した場合、前記表示手段に対し、前記表示駆動電力の供給制御を行って前記完了した旨を可視表示させる制御手段と、を備えたことを特徴とする。
【０００９】
また、請求項２にかかる情報記憶媒体は、上記発明において、前記補助電力生成手段は、受信した前記所定の電波を電気信号に変換する補助アンテナを備え、該電気信号をもとに前記表示駆動電力を生成することを特徴とする。
【００１０】
また、請求項３にかかる情報記憶媒体は、上記発明において、前記制御手段は、前記表示駆動電力の供給制御を行ってからの経過時間を計時し、該経過時間が所定時間に達した場合、前記情報書込処理または前記情報読取処理に関する応答情報を前記情報端末装置に送信することを特徴とする。
【００１１】
また、請求項４にかかる情報記憶媒体は、上記発明において、前記制御手段は、記憶された前記読取対象の情報を読み取った場合に、前記情報読取処理が完了したと判断することを特徴とする。
【００１２】
また、請求項５にかかる情報記憶媒体は、上記発明において、前記制御手段は、前記情報端末装置による前記読取対象の情報の読取完了を示す応答情報を検知した場合に、前記情報読取処理が完了したと判断することを特徴とする。
【００１３】
また、請求項６にかかる情報記憶媒体は、上記発明において、前記制御手段は、前記書込対象の情報を記憶した場合に、前記情報書込処理が完了したと判断することを特徴とする。
【００１４】
また、請求項７にかかる情報記憶媒体は、上記発明において、前記アンテナは、前記補助アンテナとの間の相互誘導を加味し、前記情報端末装置との間で送受信される所定の電波の周波数とほぼ同じ共振周波数に設定されることを特徴とする。
【００１５】
また、請求項８にかかる情報記憶媒体は、上記発明において、前記補助アンテナは、前記アンテナとの間の相互誘導が小さいことを特徴とする。
【００１６】
また、請求項９にかかる情報記憶媒体は、上記発明において、前記補助アンテナのループ径は、前記アンテナのループ径よりも小さいことを特徴とする。
【００１７】
また、請求項１０にかかる情報記憶媒体は、上記発明において、前記アンテナおよび前記補助アンテナは、ほぼ同一平面上に配置されたことを特徴とする。
【発明の効果】
【００１８】
この発明によれば、外部の情報端末装置からの指示に基づく情報読取処理または情報書込処理が完了した旨を所定時間以上外部に可視表示できるので、この完了した旨を使用者に容易に視認させる時間を確保でき、この情報読取処理または情報書込処理が完了したか否かを使用者が容易に判別可能な情報記憶媒体を低コストで実現できるという効果を奏する。この情報記憶媒体を用いることによって、使用者は、作業対象の全情報記憶媒体に対し、読取対象の情報を一括して非接触で読み取る情報読取作業または書込対象の情報を一括して非接触で書き込む情報書込作業を行った場合、この作業対象の全情報記憶媒体のうち、この情報読取作業または情報書込作業が完了済みの情報記憶媒体と完了していない情報記憶媒体とを容易に判別できるとともに、この作業対象の全情報記憶媒体に対し、この情報読取作業または情報書込作業を効率的に行うことができるという効果を奏する。
【発明を実施するための最良の形態】
【００１９】
以下、添付図面を参照して、この発明にかかる情報記憶媒体の好適な実施の形態を詳細に説明する。なお、この実施の形態では、情報記憶媒体の一例としてＲＦＩＤタグを用いた場合を例示するが、このことによって、この発明が限定されるものではない。
【００２０】
（実施の形態１）
図１は、この発明の実施の形態１であるＲＦＩＤタグの一構成例を示すブロック図である。図１において、このＲＦＩＤタグ１は、アンテナ２，４、電力生成部３，５、ＲＦ回路６、復調回路７、変調回路８、記憶部９、制御部１０、スイッチ回路１１、および表示部１２を有する。アンテナ２は、電力生成部３およびＲＦ回路６と電気的に接続される。ＲＦ回路６は、さらに復調回路７および変調回路８と電気的に接続される。また、制御部１０は、復調回路７、変調回路８、記憶部９、およびスイッチ回路１１と電気的に接続される。スイッチ回路１１は、さらに電力生成部５および表示部１２と電気的に接続される。また、アンテナ４は、電力生成部５と電気的に接続される。
【００２１】
アンテナ２は、コンデンサとコイルとを直列または並列に接続した共振回路を用いて実現され、リーダライタ等の外部の情報端末装置（図示せず）との間で所定の電波を送受信する。この場合、アンテナ２は、この情報端末装置から受信した電波を電気信号に変換するとともに、この変換して得られた電気信号を電力生成部３およびＲＦ回路６に出力する。このアンテナ２からＲＦ回路６に出力される電気信号は、この情報端末装置がこの電波を介してＲＦＩＤタグ１に送信する各種情報に対応する。一方、アンテナ２は、ＲＦ回路６から電気信号が入力された場合、この入力された電気信号を電波に変換するとともに、この変換して得られた電波をこの情報端末装置に送信する。この場合、この電波は、制御部１０が送信した各種情報に対応する電波として、この情報端末装置に送信される。
【００２２】
電力生成部３は、コンデンサおよび整流回路等を用いて実現され、このアンテナ２から入力された電気信号をもとにＲＦＩＤタグ１の駆動電力を生成し蓄積する。具体的には、アンテナ２と外部の情報端末装置との間で送受信される電波に起因する電磁誘導によってアンテナ２に電圧が誘起され、この電圧に基づく交流電流が電力生成部３に入力される。電力生成部３は、この入力された交流電流を整流するとともに、このアンテナ２に誘起された電圧に基づく電力をＲＦＩＤタグ１の駆動電力として生成し蓄積する。また、電力生成部３は、ＲＦ回路６、復調回路７、変調回路８、記憶部９、および制御部１０にこの駆動電力をそれぞれ供給する。なお、電力生成部３は、制御部１０を介して、ＲＦ回路６、復調回路７、変調回路８、および記憶部９にこの駆動電力を供給してもよい。
【００２３】
アンテナ４は、コンデンサとコイルとを直列または並列に接続した共振回路を用いて実現され、上述した外部の情報端末装置からの電波を受信する。すなわち、上述した外部の情報端末装置がＲＦＩＤタグ１に送信した電波は、上述したアンテナ２に受信されるとともにアンテナ４にも受信される。アンテナ４は、この情報端末装置から受信した電波を電気信号に変換するとともに、この変換して得られた電気信号を電力生成部５に出力する。なお、アンテナ４は、上述したアンテナ２に対し、この変換して得られた電気信号を電力生成部５に出力するために補助的に設けられたアンテナである。
【００２４】
電力生成部５は、コンデンサおよび整流回路等を用いて実現され、このアンテナ４から入力された電気信号をもとに表示部１２の駆動電力（表示駆動電力）を生成し蓄積する。具体的には、アンテナ４と外部の情報端末装置との間で送受信される電波に起因する電磁誘導によってアンテナ４に電圧が誘起され、この電圧に基づく交流電流が電力生成部５に入力される。電力生成部５は、この入力された交流電流を整流するとともに、このアンテナ４に誘起された電圧に基づく電力を表示駆動電力として生成し蓄積する。また、電力生成部５は、スイッチ回路１１を介して表示部１２と電気的に接続された場合に、この表示駆動電力を表示部１２に供給する。なお、電力生成部５は、上述した電力生成部３に対し、この表示駆動電力を生成し蓄積するために補助的に設けられた電力生成手段である。
【００２５】
ＲＦ回路６は、上述した外部の情報端末装置から送信された各種情報に対応する電気信号がアンテナ２から入力された場合、この入力された電気信号をもとに、この情報端末装置がＲＦＩＤタグ１に送信した各種情報たとえば指示情報または応答情報に対応する電気信号を生成出力する。すなわち、ＲＦ回路６は、アンテナ２を介して、この情報端末装置からＲＦＩＤタグ１に対する指示情報または応答情報を受信し、この受信した指示情報または応答情報に対応する電気信号を生成出力する。この場合、たとえば、ＲＦ回路６は、このＲＦＩＤタグ１に対する指示情報に対応する電気信号として指示信号Ｓ１を復調回路７に出力する。一方、ＲＦ回路６は、データ信号Ｓ４が変調回路８から入力された場合、この入力されたデータ信号Ｓ４の電力を増幅し、その後、この電力が増幅されたデータ信号Ｓ４をアンテナ２に出力する。この場合、ＲＦ回路６は、アンテナ２がデータ信号Ｓ４に対応する電波をこの情報端末装置に送信できる程度に、この入力されたデータ信号Ｓ４の電力を増幅する。なお、このデータ信号Ｓ４は、制御部１０が上述したＲＦＩＤタグ１に対する指示情報に基づき送信した応答情報に対応する電気信号であって、変調回路８によって変調された電気信号である。
【００２６】
復調回路７は、制御部１０の制御のもと、所定周波数の信号を用い、ＲＦ回路６から入力された電気信号を復調するように機能する。たとえば、復調回路７は、上述した指示信号Ｓ１がＲＦ回路６から入力された場合、制御部１０の制御のもと、所定周波数の信号を用いて指示信号Ｓ１を復調する。この場合、復調回路７は、指示信号Ｓ１を復調した電気信号として指示信号Ｓ２を制御部１０に出力する。なお、この指示信号Ｓ２は、上述したＲＦＩＤタグ１に対する指示情報に対応する。
【００２７】
変調回路８は、制御部１０の制御のもと、所定周波数の信号を用い、制御部１０から入力された電気信号を変調するように機能する。たとえば、変調回路８は、データ信号Ｓ３が制御部１０から入力された場合、制御部１０の制御のもと、所定周波数の信号を用いてデータ信号Ｓ３を変調する。この場合、変調回路８は、データ信号Ｓ３を変調した電気信号として、上述したデータ信号Ｓ４をＲＦ回路６に出力する。なお、このデータ信号Ｓ３は、制御部１０が上述したＲＦＩＤタグ１に対する指示情報に基づき送信した応答情報に対応する。
【００２８】
記憶部９は、ＥＰＲＯＭ（Erasable Programmable Read Only Memory）、ＥＥＰＲＯＭ（Electronic EPROM）、またはフラッシュメモリ等の再書き込み可能な各種ＲＯＭを用いて実現され、制御部１０の制御のもと、制御部１０から入力された情報を記憶する。この場合、記憶部９は、制御部１０の制御のもと、上述したＲＦＩＤタグ１に対する指示情報に基づく書込対象の情報を記憶する。また、記憶部９は、制御部１０の制御のもと、記憶した情報を制御部１０に送信する。
【００２９】
制御部１０は、各種処理プログラムを実行するＣＰＵ（Central Processing Unit）と、このＣＰＵが実行する各種処理プログラムを記憶する各種ＲＯＭと、これら各種処理プログラムにおける演算パラメータ、上述したＲＦＩＤタグ１に対する指示情報に基づく書込対象の情報、または上述したＲＦＩＤタグ１に対する指示情報に基づく応答情報等を一時的に記憶する各種ＲＡＭ（Random Access Memory）とを用いて実現される。制御部１０は、ＲＦＩＤタグ１を構成する各構成部の動作を制御する。この場合、制御部１０は、これらの各構成部に入出力される情報について所定の入出力制御を行い、かつ、この情報に対して所定の情報処理を行う。
【００３０】
たとえば、制御部１０は、上述した指示信号Ｓ２が復調回路７から入力された場合、この指示信号Ｓ２をもとに、上述したＲＦＩＤタグ１に対する指示情報を検知する。この検知した指示情報が、上述した外部の情報端末装置に読取対象の情報を送信するように指示する読取指示情報である場合、制御部１０は、この読取指示情報に基づく読取対象の情報をこの情報端末装置に送信する情報読取処理を行う。一方、この検知した指示情報が、書込対象の情報を記憶するように指示する書込指示情報である場合、制御部１０は、この書込指示情報に基づく書込対象の情報を記憶部９に記憶させる情報書込処理を行う。
【００３１】
図２は、制御部１０が情報読取処理または情報書込処理が完了した旨を示す可視表示（完了表示）を表示部１２に表示させるまでの処理工程を例示するフローチャートである。制御部１０は、情報読取処理または情報書込処理を完了と判断した場合に、この情報読取処理または情報書込処理の完了表示を表示部９に表示させる。すなわち、図２において、制御部１０は、上述した指示信号Ｓ２が復調回路７から入力されていない場合、すなわち外部の情報端末装置からの読取指示情報および書込指示情報を検知していない場合（ステップＳ１０１，Ｎｏ）、この読取指示情報または書込指示情報を検知待機した状態になり、このステップＳ１０１の処理工程を繰り返す。
【００３２】
一方、制御部１０は、上述した指示信号Ｓ２が復調回路７から入力された場合、この入力された指示信号Ｓ２をもとに、外部の情報端末装置からの読取指示情報または書込指示情報を検知し（ステップＳ１０１，Ｙｅｓ）、この検知した読取指示情報または書込指示情報に基づき、上述した情報読取処理または情報書込処理を行う（ステップＳ１０２）。
たとえば、制御部１０は、読取指示情報を検知した場合、検知した読取指示情報による指示のもと、この読取指示情報に基づく読取対象の情報を記憶部９から読み取る。この場合、制御部１０は、この読取対象の情報を記憶部９から読み取ったことをトリガーとして、この情報読取処理を完了と判断する。また、制御部１０は、書込指示情報を検知した場合、検知した書込指示情報による指示のもと、この書込指示情報に基づく書込対象の情報を記憶部９に送信するとともに、この書込対象の情報を記憶部９に記憶させる。この場合、制御部１０は、この書込対象の情報を記憶部９に記憶させたことをトリガーとして、この情報書込処理を完了と判断する。
【００３３】
なお、制御部１０は、情報読取処理を完了と判断していない場合および情報書込処理を完了と判断していない場合（ステップＳ１０３，Ｎｏ）、上述したステップＳ１０２以降の処理工程を繰り返す。
【００３４】
制御部１０は、情報読取処理または情報書込処理を完了と判断した場合（ステップＳ１０３，Ｙｅｓ）、スイッチ回路１１を介して電力生成部５と表示部１２とを電気的に接続するスイッチ切替処理を行う（ステップＳ１０４）。この場合、制御部１０は、スイッチ回路１１に切替制御信号Ｓ５を送信し、電力生成部５と表示部１２との導通状態をオン状態に切り替えるようにスイッチ回路１１を制御する。これによって、電力生成部５は、スイッチ回路１１を介して表示部１２に上述した表示駆動電力を供給する。すなわち、制御部１０は、ステップＳ１０４のスイッチ切替処理によって、表示部１２に対する表示駆動電力の供給制御を行う。
【００３５】
ここで、図１に示した表示部１２は、所定色の可視光線を発光する発光ダイオード（ＬＥＤ）または半導体レーザを用いて実現され、上述した表示駆動電力がスイッチ回路１１を介して電力生成部５から供給された場合、この表示駆動電力を用いて所定の可視光線を出力する。すなわち、表示部１２は、制御部１０が情報読取処理または情報書込処理を完了と判断した場合に所定の可視光線を出力する。この場合、表示部１２は、この情報読取処理または情報書込処理の完了表示として、予め設定された所定色たとえば赤色、青色、緑色、またはこれらの合成色等の可視光線を出力する。なお、表示部１２が半導体レーザを用いて実現される場合、この半導体レーザにカラーフィルタ等を設け、この半導体レーザから出力される可視光線がこの設けられたカラーフィルタ等によって散乱するように構成する。
【００３６】
一方、制御部１０は、図１に示したように、タイマ１０ａを有する。タイマ１０ａは、制御部１０が上述したステップＳ１０４による表示駆動電力の供給制御を開始してからの経過時間を計時する。この場合、タイマ１０ａは、制御部１０がスイッチ回路１１に切替制御信号Ｓ５を送信したことをトリガーとして、この経過時間を計時し始める。また、制御部１０には、表示部１２が上述した完了表示を表示出力する所定時間（可視表示時間）が予め設定される。制御部１０は、この可視表示時間とタイマ１０ａが計時した経過時間とを用い、この経過時間がこの可視表示時間に達したか否かを判断する。この経過時間がこの可視表示時間に達していないと制御部１０が判断した場合すなわち上述した表示駆動電力の供給制御が開始されてからこの可視表示時間が経過していない場合（ステップＳ１０５，Ｎｏ）、制御部１０は、このステップＳ１０５の処理工程を繰り返す。この場合、表示部１２は、上述した完了表示を表示出力し続ける。
【００３７】
また、この経過時間がこの可視表示時間に達したと制御部１０が判断した場合すなわち上述した表示駆動電力の供給制御が開始されてからこの可視表示時間が経過した場合（ステップＳ１０５，Ｙｅｓ）、制御部１０は、上述したステップＳ１０１にて検知した読取指示情報または書込指示情報に基づき、記憶部９から読み取った読取対象の情報または情報書込処理が完了した旨を示す書込完了情報に対応するデータ信号Ｓ３を変調回路８に出力する（ステップＳ１０６）。この場合、制御部１０は、この読取指示情報に基づく外部の情報端末装置への応答情報として読取対象の情報を送信し、またはこの書込指示情報に基づく外部の情報端末装置への応答情報として書込完了情報を送信する。
【００３８】
その後、制御部１０が送信した読取対象の情報または書込完了情報は、上述したように、変調回路８およびＲＦ回路６を介してアンテナ２に送信され、さらに、アンテナ２と外部の情報端末装置との間で送受信される電波を介して、この外部の情報端末装置に送信される。この場合、この外部の情報端末装置は、このアンテナ２との間で送受信される電波を介して、この読取対象の情報または書込完了情報を読み取ることができる。その後、この外部の情報端末装置は、この読取対象の情報または書込完了情報を読み取ったことをトリガーとして、ＲＦＩＤタグ１との間の無線通信を終了する。
【００３９】
この外部の情報端末装置がＲＦＩＤタグ１との間の無線通信を終了した場合、制御部１０は、電力生成部３に生成蓄積された駆動電力が全て消費されるまで、スイッチ回路１１に切替制御信号Ｓ５を送信し、表示部１２に対する表示駆動電力の供給制御を行う。したがって、表示部１２は、この表示駆動電力の供給制御が開始されてから少なくとも上述した可視表示時間が経過するまで、情報読取処理または情報書込処理の完了表示を表示出力することができ、これに加えて、表示部１２は、外部の情報端末装置がＲＦＩＤタグ１との間の無線通信を終了してから、電力生成部３の駆動電力または電力生成部５の表示駆動電力が全て消費されるまで、この完了表示を表示出力した状態を維持できる。
【００４０】
図３は、情報読取処理または情報書込処理が完了と判断される前後において、表示部１２が可視表示を切り替える状態を模式的に例示する模式図である。表示部１２は、制御部１０が情報読取処理を完了と判断していない場合および情報書込処理を完了と判断していない場合、上述した所定色の可視光線を出力しない状態すなわち情報読取処理または情報書込処理の完了表示を表示出力していない状態（第１表示状態）になる。この場合、表示部１２は、図３に示すように、可視表示領域Ｃ１から上述した所定色の可視光線を出力しない。これによって、表示部１２は、情報読取処理が完了と判断される前である旨または情報書込処理が完了と判断される前である旨を外部に可視表示する。
【００４１】
一方、制御部１０は、上述したように、読取対象の情報を記憶部９から読み取ったことをトリガーとして、この読取対象の情報を送信する情報読取処理を完了と判断する。また、制御部１０は、上述したように、書込対象の情報を記憶部９に記憶させたことをトリガーとして、この書込対象の情報を記憶する情報書込処理を完了と判断する。情報読取処理または情報書込処理が完了と判断された場合、表示部１２は、この第１表示状態から、上述した所定色の可視光線を出力した状態すなわち情報読取処理または情報書込処理の完了表示を表示出力した状態（第２表示状態）に切り替わる。この場合、表示部１２は、図３に示すように、可視表示領域Ｃ１から上述した所定色の可視光線を出力し、これによって、情報読取処理または情報書込処理の完了表示を外部に表示出力する。
【００４２】
ここで、使用者が、上述した情報端末装置を用い、複数のＲＦＩＤタグ１から読取対象の情報を一括して非接触で読み取る情報読取作業を行った場合または複数のＲＦＩＤタグ１に書込対象の情報を一括して非接触で書き込む情報書込作業を行った場合、これら複数のＲＦＩＤタグ１のうち、この情報端末装置からの読取指示情報に基づく情報読取処理を完了と判断していないＲＦＩＤタグ１またはこの情報端末装置からの書込指示情報に基づく情報書込処理を完了と判断していないＲＦＩＤタグ１は、図３に示したように、この情報読取処理が完了と判断される前である旨またはこの情報書込処理が完了と判断される前である旨を可視表示領域Ｃ１から外部に可視表示する。一方、これら複数のＲＦＩＤタグ１のうち、この情報読取処理またはこの情報書込処理を完了と判断したＲＦＩＤタグ１は、図３に示したように、この情報読取処理またはこの情報書込処理の完了表示を可視表示領域Ｃ１から表示出力する。この場合、この情報読取処理またはこの情報書込処理を完了と判断したＲＦＩＤタグ１の表示部１２は、上述したように、制御部１０が表示駆動電力の供給制御を開始してから少なくとも上述した可視表示時間が経過するまでの間、この完了表示を表示出力でき、これに加えて、この情報端末装置がＲＦＩＤタグ１との間の無線通信を終了してから電力生成部３の駆動電力または電力生成部５の表示駆動電力が全て消費されるまでの間、この完了表示を表示出力した第２表示状態を維持できる。
【００４３】
したがって、使用者は、これら複数のＲＦＩＤタグ１の各表示部１２の表示内容たとえば所定色の可視光線が点灯しているか否かを容易に視認することができ、これによって、読取対象の情報が読み取れたまたは書込対象の情報を書き込めたＲＦＩＤタグ（作業済みＲＦＩＤタグ）と読取対象の情報が読み取れなかったまたは書込対象の情報を書き込めなかったＲＦＩＤタグ（未作業ＲＦＩＤタグ）とを容易に判別することができる。すなわち、使用者は、情報読取作業または情報書込作業を行う対象の全ＲＦＩＤタグについて、読取対象の情報を読み取れたか否かまたは書込対象の情報を書き込めたか否かを容易に視認でき、これによって、作業済みＲＦＩＤタグと未作業ＲＦＩＤタグとを容易に判別できるとともに、これらの全ＲＦＩＤタグに対し、情報読取作業または情報書込作業を効率的に行うことができる。このことは、使用者が、上述した情報端末装置を用い、一つのＲＦＩＤタグ１に対して情報読取作業または情報書込作業を行った場合も同様である。
【００４４】
つぎに、アンテナ２，４の配置状態について詳細に説明する。図４は、ＲＦＩＤタグ１に配置されたアンテナ２，４の一構成例を模式的に示す模式図である。図４に示すように、アンテナ２は、ＲＦＩＤタグの基材１３に対し、可能な限り大きいループ径を有するように配置されることが望ましい。このことは、アンテナ２が外部の情報端末装置との間で所定の電波を効率的に送受信でき、これによって、電力生成部３が効率的に駆動電力を生成蓄積できるからである。また、アンテナ２，４は、基材１３において、外部の情報端末装置がＲＦＩＤタグ１に送信した電波をほぼ同時に受信できる領域（受信可能領域）に配置される。
【００４５】
ここで、アンテナ２，４が共振周波数ｆ０にそれぞれ設定された場合、アンテナ２との間で発生する相互誘導による影響が小さくなるようにアンテナ４を構成することによって、このアンテナ２，４を互いに近傍な受信可能領域に容易に配置できる。たとえば、アンテナ４は、アンテナ２のループ径に比して十分小さいループ径を形成することによって、このアンテナ２との間の相互誘導による影響を可能な限り小さくできる。これによって、アンテナ４からアンテナ２に及ぼす相互誘導による影響を可能な限り小さくでき、このアンテナ４は、基材１３の受信可能領域において、このアンテナ２の近傍に容易に配置できる。この場合、アンテナ４は、図４に示すように、アンテナ２のループ内に配置されることが望ましく、さらには、アンテナ２，４が基材１３内のほぼ同一平面上に配置されることが望ましい。これは、共振周波数ｆ０にそれぞれ設定されたアンテナ２，４を基材１３に配置する組立作業が容易になるとともに、ＲＦＩＤタグ１の小型化を促進できるからである。なお、この共振周波数ｆ０は、外部の情報端末装置のアンテナに設定された共振周波数すなわちこの情報端末装置がＲＦＩＤタグ１に送信する電波の周波数とほぼ同じ共振周波数である。
【００４６】
一方、アンテナ２は、アンテナ４との間で発生する相互誘導による影響を加味して共振周波数が設定されてもよい。図５は、ＲＦＩＤタグ１に配置されたアンテナ２，４の別の構成例を模式的に示す模式図である。たとえば、アンテナ２は、アンテナ４との間で発生する相互誘導による影響を加味した共振周波数ｆ１に設定される。この共振周波数ｆ１は、アンテナ２がアンテナ４との間で発生する相互誘導による影響を受けた場合に、上述した共振周波数ｆ０とほぼ同じになる。この場合、このアンテナ２は、基材１３の受信可能領域において、たとえば図５に示すように、このアンテナ４の近傍に配置される。これによって、このアンテナ２の共振周波数ｆ１は、このアンテナ４との間の相互誘導の影響を受け、共振周波数ｆ０とほぼ同じになる。
【００４７】
また、このアンテナ２，４が互いに近傍に配置される場合、このアンテナ４は、このアンテナ２の配置を阻害しない程度に大きいループ径を形成することが望ましい。これは、ＲＦＩＤタグ１の小型化を促進することができ、さらには、アンテナ４が外部の情報端末装置からの電波を効率的に受信でき、これによって、電力生成部５が表示駆動電力を効率的に生成蓄積できるからである。
【００４８】
なお、このアンテナ２，４は、互いに近傍の受信可能領域であれば、基材１３内のほぼ同一平面上に配置されてもよいし、基材１３内の異なる平面上にそれぞれ配置されてもよい。たとえば、このアンテナ２，４が基材１３内のほぼ同一平面上において互いに近傍に配置されることによって、ＲＦＩＤタグ１の小型化をさらに促進することができる。一方、このアンテナ２，４が基材１３内の異なる平面上にそれぞれ配置される場合、このアンテナ２が設けられる基材１３の層とこのアンテナ４が設けられる基材１３の層とが積層された状態になることが望ましい。この場合、このアンテナ４は、このアンテナ２の配置を阻害することなく、基材１３に対して可能な限り大きなループ径を形成でき、これによって、このアンテナ４は、外部の情報端末装置からの電波をさらに効率的に受信できる。これに起因して、電力生成部５は、表示駆動電力をさらに効率的に生成蓄積できる。
【００４９】
また、このアンテナ４は、このアンテナ２との間で発生する相互誘導による影響を加味して共振周波数が設定されることが望ましい。たとえば、このアンテナ４は、このアンテナ２との間で発生する相互誘導による影響を加味した共振周波数ｆ２に設定される。この共振周波数ｆ２は、アンテナ４がアンテナ２との間で発生する相互誘導による影響を受けた場合に、上述した共振周波数ｆ０とほぼ同じになる。この場合、このアンテナ４の共振周波数ｆ２は、このアンテナ２，４が互いに近傍に配置されることによって、このアンテナ２との間の相互誘導の影響を受け、共振周波数ｆ０とほぼ同じになる。すなわち、アンテナ４は、この共振周波数ｆ２に設定されることによって、この外部の情報端末装置からの電波を受信するアンテナとして最適化できる。
【００５０】
なお、この発明の実施の形態１では、制御部１０が、読取対象の情報を記憶部９から読み取ったことをトリガーとして、この読取対象の情報に関する情報読取処理を完了と判断する場合を例示したが、この発明はこれに限定されるものではなく、外部の情報端末装置が、この読取対象の情報を読取完了した旨を示す応答情報として読取完了情報を送信し、制御部１０が、この読取完了情報を検知したことをトリガーとして、この読取対象の情報に関する情報読取処理を完了と判断してもよい。
【００５１】
図６は、この実施の形態１の変形例であるＲＦＩＤタグの制御部１０が情報読取処理の完了表示を表示部１２に表示させるまでの処理工程を例示するフローチャートである。この場合、この制御部１０は、外部の情報端末装置が送信した読取完了情報を検知したことをトリガーとして情報読取処理を完了と判断し、その後、この情報端末装置に対する応答情報を送信する。なお、この変形例であるＲＦＩＤタグは、これ以外の各種処理、動作、および構成について、上述したＲＦＩＤタグ１とほぼ同様である。
【００５２】
図６において、制御部１０は、上述したステップＳ１０１と同様に、読取指示情報を検知していない場合（ステップＳ２０１，Ｎｏ）、読取指示情報を検知待機した状態になり、このステップＳ２０１の処理工程を繰り返し、読取指示情報を検知した場合（ステップＳ２０１，Ｙｅｓ）、この読取指示情報に基づく情報読取処理を行う（ステップＳ２０２）。この場合、制御部１０は、この読取指示情報による指示のもと、この読取指示情報に基づく読取対象の情報を記憶部９から読み取る。その後、制御部１０は、上述したステップＳ１０６とほぼ同様に、この読み取った読取対象の情報に対応するデータ信号Ｓ３を変調回路８に出力する。
【００５３】
その後、制御部１０は、外部の情報端末装置からの読取指示情報または読取完了情報を検知待機する状態になる。この場合、制御部１０は、読取完了情報を検知せず（ステップＳ２０３，Ｎｏ）、かつ読取指示情報をも検知していなければ（ステップＳ２０４，Ｎｏ）、このステップＳ２０３以降の処理工程を繰り返す。また、制御部１０は、読取完了情報を検知せず（ステップＳ２０３，Ｎｏ）、かつ読取指示情報を検知した場合（ステップＳ２０４，Ｙｅｓ）、上述したステップＳ２０２以降の処理工程を繰り返す。
【００５４】
一方、制御部１０が読取対象の情報に対応するデータ信号Ｓ３を変調回路８に出力した場合、この読取対象の情報は、上述した実施の形態１の場合と同様に、この読取指示情報を送信した外部の情報端末装置に読み取られる。この場合、この情報端末装置は、この読取対象の情報を送信したＲＦＩＤタグに対し、この読取対象の情報を読取完了した旨を示す読取完了情報を送信する。この読取完了情報は、このＲＦＩＤタグに対する応答情報であり、上述したＲＦＩＤタグ１に対する指示情報の場合と同様に、この情報端末装置とアンテナ２との間で送受信される電波、アンテナ２、およびＲＦ回路６を介して、復調回路７に入力される。その後、復調回路７は、この読取完了情報に対応する電気信号を制御部１０に出力する。
【００５５】
制御部１０は、この読取完了情報に対応する電気信号を復調回路７から受信した場合、この読取完了情報を検知し（ステップＳ２０３，Ｙｅｓ）、この読取完了情報を検知したことをトリガーとして、この読取完了情報に関する情報読取処理を完了と判断する。その後、制御部１０は、スイッチ回路１１に対し、上述したステップＳ１０４と同様にスイッチ切替処理を行い（ステップＳ２０５）、この情報読取処理が完了した旨を示す完了表示を表示部１２に表示出力させる。この場合、表示部１２は、上述した実施の形態１と同様に、たとえば所定色の可視光線を出力し、この完了表示を外部に可視表示する。
【００５６】
制御部１０がステップＳ２０５によるスイッチ切替処理を行った場合、タイマ１０ａは、上述した実施の形態１と同様に、このステップＳ２０５による表示駆動電力の供給制御を開始してからの経過時間を計時する。制御部１０は、上述したステップＳ１０５と同様に、この経過時間が上述した可視表示時間に達したか否かを判断する。すなわち、制御部１０は、この表示駆動電力の供給制御が開始されてから上述した可視表示時間が経過していない場合（ステップＳ２０６，Ｎｏ）、このステップＳ２０６の処理工程を繰り返す。この場合、表示部１２は、上述した実施の形態１と同様に、この情報読取処理の完了表示を表示出力し続ける。
【００５７】
一方、この表示駆動電力の供給制御が開始されてから上述した可視表示時間が経過した場合（ステップＳ２０６，Ｙｅｓ）、制御部１０は、上述したステップＳ２０３にて検知した読取完了情報の応答情報として完了応答情報を送信する。この完了応答情報は、制御部１０がこの読取完了情報を検知した旨を示す応答情報であって、上述したステップＳ２０１にて検知した読取指示情報に基づく外部の情報端末装置への応答情報として送信される。その後、この完了応答情報は、上述した読取対象の情報の場合と同様に、この外部の情報端末装置に送信される。この外部の情報端末装置は、この完了応答情報を読み取ったことをトリガーとして、このＲＦＩＤタグとの間の無線通信を終了する。
【００５８】
したがって、この実施の形態１の変形例では、上述した実施の形態１とほぼ同様の作用効果を享受するとともに、使用者は、情報読取作業を行う対象の全ＲＦＩＤタグについて、この情報読取作業にて読取対象の情報を確実に読み取れたか否かを容易に視認することができる。これによって、使用者は、上述した実施の形態１とほぼ同様に、作業済みＲＦＩＤタグと未作業ＲＦＩＤタグとを容易に判別できるとともに、この判別作業を行ううえでの安心感が増し、これらの全ＲＦＩＤタグに対し、この情報読取作業をさらに効率的に行うことができる。
【００５９】
なお、この発明の実施の形態１では、読取対象の情報が記憶部９から読み取られた場合にこの読取対象の情報に関する情報読取処理が完了と判断され、書込対象の情報が記憶部９に記憶された場合にこの書込対象の情報に関する情報書込処理が完了と判断される場合を例示したが、この発明はこれに限定されるものではなく、制御部１０が電力生成部３に生成蓄積された駆動電力の残量を検出し、この残量が所定値以下になった場合に、制御部８が情報読取処理または情報書込処理を完了と判断してもよい。
【００６０】
また、この発明の実施の形態１およびその変形例では、情報読取処理または情報書込処理の完了表示として所定色の可視光線を外部に出力する場合を例示したが、この発明はこれに限定されるものではなく、制御部１０がスイッチ回路１１を制御して、情報読取処理または情報書込処理の完了表示として所定色の可視光線を所定の点滅パターンで外部に出力してもよい。また、制御部１０は、表示部１２が情報読取処理または情報書込処理の処理過程に応じて異なる点滅パターンの可視光線を出力するように、スイッチ回路１１を制御してもよい。この場合、使用者は、処理対象のＲＦＩＤタグについて、表示部１２が出力する可視光線の点滅パターンを視認することによって、情報読取処理または情報書込処理の処理過程毎たとえば未実施、処理中、および処理完了のＲＦＩＤタグを容易に判別できる。
【００６１】
さらに、この発明の実施の形態１およびその変形例では、表示部１２が所定色の可視光線を出力するＬＥＤまたは半導体レーザを用いて構成された場合を例示したが、この発明はこれに限定されるものではなく、表示部１２は、所定の色、文字、記号、または模様を表示出力する液晶ディスプレイ、反射型液晶ディスプレイ、有機ＥＬディスプレイ、またはプラズマディスプレイを用いて構成されてもよいし、抵抗器またはペルチェ素子等の電熱変換手段と、所定の温度範囲に加熱された場合に所定の色、文字、記号、または模様を表示出力する感温液晶または可逆性の熱変色性材料等の感温表示手段とを組み合わせて構成されてもよい。この場合、制御部１０が、スイッチ回路１１を制御し、情報読取処理または情報書込処理の処理過程に応じて異なる表示出力パターンの可視表示を表示部１２に出力させてもよい。これによって、使用者は、上述したように、処理対象のＲＦＩＤタグについて、情報読取処理または情報書込処理の処理過程毎たとえば未実施、処理中、および処理完了のＲＦＩＤタグを容易に判別できる。
【００６２】
また、この発明の実施の形態１およびその変形例では、電力生成部５は、アンテナ４から入力された電気信号すなわちアンテナ４に誘起された電圧をもとに表示駆動電力を生成蓄積していたが、この発明はこれに限定されるものではなく、外部の情報端末装置から受信した電波に起因する電磁誘導によって電圧が誘起されるコイルをアンテナ４に代えて設け、電力生成部５は、このコイルに誘起された電圧をもとに表示駆動電力を生成蓄積してもよいし、アンテナ４を設けずに電力生成部５とアンテナ２とを電気的に接続し、電力生成部３，５は、このアンテナ２に誘起された電圧をもとに駆動電力および表示駆動電力をそれぞれ生成蓄積してもよい。
【００６３】
さらに、この発明の実施の形態１およびその変形例では、アンテナ２，４がそれぞれ別体として配置された場合を例示したが、この発明はこれに限定されるものではなく、アンテナ２，４が互いに近傍に配置される場合、アンテナ２，４を一体的に構成してもよい。この場合、アンテナ２，４は、共通のアースとの接続端を境界として連続的に接続される。
【００６４】
また、この発明の実施の形態１およびその変形例では、アンテナ４のループ径をアンテナ２のループ径よりも小さくすることによって、アンテナ４からアンテナ２に及ぼす相互誘導による影響を小さくしていたが、この発明はこれに限定されるものではなく、アンテナ４のコイル巻き数をアンテナ２のコイル巻き数よりも少なくすることによって、アンテナ４からアンテナ２に及ぼす相互誘導による影響を小さくしてもよいし、アンテナ２，４の間の相互誘導が小さくなる程度にアンテナ２とアンテナ４との間隔をあけて配置することによって、アンテナ４からアンテナ２に及ぼす相互誘導による影響を小さくしてもよい。
【００６５】
さらに、この発明の実施の形態１およびその変形例では、この発明にかかる情報記憶媒体の一例としてＲＦＩＤタグを用いた場合を例示したが、この発明はこれに限定されるものではなく、この発明にかかる情報記憶媒体の一例として、カード状の樹脂製板にＲＦＩＤタグを埋設した非接触ＩＣカードを用いてもよい。
【００６６】
以上に説明したように、この発明の実施の形態１では、外部の情報端末装置からの指示に基づく情報読取処理または情報書込処理が完了した旨を可視表示する表示部と、この完了した旨を可視表示するための表示駆動電力を生成蓄積する補助的な電力生成部とを設け、この情報読取処理または情報書込処理が完了したか否かを判断し、完了と判断した場合に、この完了した旨を外部に所定時間以上可視表示するように構成したので、この完了した旨の可視表示を使用者に視認させる時間を確保でき、この情報読取処理または情報書込処理が完了したか否かを使用者が容易に判別可能な情報記憶媒体を低コストで実現することができる。
【００６７】
この情報記憶媒体を用いることによって、使用者は、作業対象の全情報記憶媒体から読取対象の情報を一括して非接触で読み取る情報読取作業を行った場合、この作業対象の全情報記憶媒体について、この読取対象の情報を読み取れたか否かを容易に視認することができる。同様に、使用者は、作業対象の全情報記憶媒体に書込対象の情報を一括して非接触で書き込む情報書込作業を行った場合、この作業対象の全情報記憶媒体について、この書込対象の情報を書き込めたか否かを容易に視認することができる。これによって、使用者は、作業対象の全情報記憶媒体のうち、この情報読取作業または情報書込作業が完了済みの情報記憶媒体と完了していない情報記憶媒体とを容易に判別できるとともに、この作業対象の全情報記憶媒体に対し、この情報読取作業または情報書込作業を効率的に行うことができる。
【００６８】
また、この実施の形態１の変形例では、外部の情報端末装置によって読取対象の情報が読み取られた旨を示す読取完了情報を検知した場合に、この読取対象の情報に関する情報読取処理を完了と判断しているので、外部の情報端末装置が読取対象の情報を確実に読み取れた場合に情報読取処理が完了した旨を可視表示することができる。したがって、使用者は、この情報読取作業にて読取対象の情報を確実に読み取れたか否かを容易に視認でき、上述した実施の形態１と同様の作用効果を享受するとともに、この読取対象の情報を読み取れたか否かの判別作業を行ううえでの安心感が増し、この情報読取作業をさらに効率的に行うことができる。
【００６９】
（実施の形態２）
つぎに、この発明の実施の形態２について詳細に説明する。上述した実施の形態１では、電力生成部３が生成蓄積した駆動電力を用いてスイッチ回路１１の切替制御を行うことによって、表示部１２による可視表示の出力制御を行っていたが、この実施の形態２では、電力生成部５が生成蓄積した表示駆動電力を用いて表示部１２による可視表示の出力制御を行うようにしている。
【００７０】
図７は、この発明の実施の形態２であるＲＦＩＤタグの一構成例を示すブロック図である。このＲＦＩＤタグ２０は、制御部１０に代えて制御部２１が設けられ、スイッチ回路１１に代えて表示制御部２２が設けられる。その他の構成は実施の形態１と同じであり、同一構成部分には同一符号を付している。
【００７１】
制御部２１は、上述した制御部１０とほぼ同様の機能および構成を有する。たとえば、制御部２１は、上述した実施の形態１と同様に、読取対象の情報を記憶部９から読み取ったことをトリガーとしてこの読取対象の情報に関する情報読取処理を完了と判断し、書込対象の情報を記憶部９に記憶させたことをトリガーとしてこの書込対象の情報に関する情報書込処理を完了と判断する。この場合、制御部２１は、上述したステップＳ１０６と同様に、記憶部９から読み取った読取対象の情報または情報書込処理が完了した旨を示す書込完了情報に対応するデータ信号Ｓ３を変調回路８に出力する。これと同時に、制御部２１は、完了と判断した情報読取処理または情報書込処理の完了表示を表示指示する表示指示情報を表示制御部２２に送信する。この場合、制御部２１は、この表示指示情報に対応する表示指示信号Ｓ６を表示制御部２２に出力する。
【００７２】
表示制御部２２は、各種処理プログラムを実行するＣＰＵと、このＣＰＵが実行する各種処理プログラムを記憶する各種ＲＯＭと、これら各種処理プログラムにおける演算パラメータまたは制御部２１から受信した表示指示情報等を一時的に記憶する各種ＲＡＭとを用いて実現される。表示制御部２２は、電力生成部５から供給される表示駆動電力を動力源として駆動し、制御部２１から受信した表示指示情報による指示のもと、表示部１２の駆動制御を行う。
【００７３】
図８は、表示制御部２２が表示部１２に情報読取処理または情報書込処理の完了表示を出力させるまでの処理工程を例示するフローチャートである。表示制御部２２は、表示部１２の駆動制御を行って、情報読取処理または情報書込処理の完了表示を表示部１２に出力させる。すなわち、図８において、表示制御部２２は、電力生成部５から表示駆動電力が供給されることによって起動し、制御部２１からの表示指示情報の検知待機状態になる。この検知待機状態において、表示制御部２２は、上述した表示指示信号Ｓ６が制御部２１から入力されていない場合、表示指示信号Ｓ６に基づく表示指示情報を検知せず（ステップＳ３０１，Ｎｏ）、このステップＳ３０１の処理工程を繰り返す。
【００７４】
一方、表示制御部２２は、上述した表示指示信号Ｓ６が制御部２１から入力された場合、この表示指示信号Ｓ６に基づく表示指示情報を検知し（ステップＳ３０１，Ｙｅｓ）、この検知した表示指示情報による指示のもと、表示部１２に上述した完了表示を表示出力させる可視表示処理を行う（ステップＳ３０２）。この場合、表示制御部２２は、この検知した表示指示情報に基づく可視表示制御信号Ｓ７を表示部１２に出力し、表示部１２対する完了表示の出力制御を行う。なお、この可視表示制御信号Ｓ７は、表示部１２に対し、この検知した表示指示情報に基づく完了表示を出力制御するための制御信号である。
【００７５】
表示部１２は、表示制御部２２から可視表示制御信号Ｓ７を受信した場合、この受信した可視表示制御信号Ｓ７による制御のもと、表示制御部２２がステップＳ３０１において検知した表示指示情報に基づく完了表示を出力する。たとえば、表示部１２は、この表示指示情報に基づく完了表示として、情報読取処理または情報書込処理が完了した旨を可視表示する所定色の可視光線を外部に出力する。その後、表示制御部２２は、電力生成部５に生成蓄積された表示駆動電力を全て消費するまで、この表示部１２に対する完了表示の出力制御を行う。
【００７６】
ここで、電力生成部５は、上述したように、表示制御部２２に表示駆動電力を供給する。また、電力生成部５は、表示制御部２２の制御のもと、表示制御部２２を介して表示部１２に表示駆動電力を供給する。すなわち、この表示駆動電力は、ＲＦ回路６、復調回路７、変調回路８、記憶部９、および制御部２１の各動作によって消費されずに、表示制御部２２が駆動する場合および表示部１２が完了表示を出力する場合にのみ消費される。この場合、電力生成部５は、制御部２１が表示制御部２２に表示指示情報を送信するまでの間、表示駆動電力をほとんど供給せずに生成蓄積できる。したがって、電力生成部５は、外部の情報端末装置とＲＦＩＤタグ２０との無線通信が終了した場合であっても、表示駆動電力を表示制御部２２に所定時間供給できる。これによって、表示部１２は、この無線通信が終了した場合であっても、表示制御部２２の制御のもと、上述した完了表示を出力した状態を所定時間維持できる。このことは、この無線通信が終了した場合であっても、使用者が情報読取処理または情報書込処理の完了表示を容易に視認できる時間を確保可能にする。
【００７７】
なお、制御部２１は、情報読取処理が完了したか否かを判断する場合、上述した実施の形態１の変形例と同様に、読取対象の情報を読取完了した旨を示す応答情報として、外部の情報端末装置から送信された読取完了情報を検知した場合に、この読取対象の情報に関する情報読取処理を完了と判断してもよい。この場合、上述した実施の形態１の変形例とほぼ同様の作用効果を享受できるとともに、外部の情報端末装置がＲＦＩＤタグ２０に電波を送信する回数が増加するので、電力生成部５が表示駆動電力をより多く生成蓄積でき、これによって、情報読取処理または情報書込処理の完了表示を出力した状態をさらに長時間維持できる。
【００７８】
また、制御部２１は、上述した実施の形態１の場合とほぼ同様に、表示指示情報を表示制御部２２に送信してからの経過時間を計時するようにし、この経過時間が予め設定された所定時間に達した場合に、読取対象の情報、書込完了情報、または完了応答情報を送信してもよい。この場合、表示部１２は、表示制御部２２の制御のもと、少なくともこの設定された所定時間、上述した完了表示を出力した状態を維持できる。また、電力生成部５は、この設定された所定時間すなわち読取対象の情報、書込完了情報、または完了応答情報が送信されるまでの間、表示駆動電力をさらに生成蓄積できるので、表示部１２は、上述した実施の形態１の場合よりも長時間、情報読取処理または情報書込処理の完了表示を出力した状態を維持できる。
【００７９】
さらに、表示制御部２２は、検知した表示指示情報による指示のもと、情報読取処理または情報書込処理の完了表示として、表示部１２に所定色の可視光線を所望の点滅パターンで外部に出力させてもよい。これによって、表示制御部２２は、表示駆動電力を節約できる。また、制御部２１が情報読取処理または情報書込処理の各処理過程に応じた表示指示情報を表示制御部２２に送信し、表示制御部２２が、情報読取処理または情報書込処理の各処理過程に応じて異なる点滅パターンの可視光線を出力するように、表示部１２を駆動制御してもよい。この場合、使用者は、処理対象のＲＦＩＤタグについて、表示部１２が出力する可視光線の点滅パターンを視認することによって、情報読取処理または情報書込処理の処理過程毎たとえば未実施、処理中、および処理完了のＲＦＩＤタグを容易に判別できる。
【００８０】
また、表示部１２は、所望の色、文字、記号、または模様を表示出力する液晶ディスプレイ、反射型液晶ディスプレイ、有機ＥＬディスプレイ、またはプラズマディスプレイを用いて構成されてもよいし、抵抗器またはペルチェ素子等の電熱変換手段と、所定の温度範囲に加熱された場合に所定の色、文字、記号、または模様を表示出力する感温液晶または可逆性の熱変色性材料等の感温表示手段とを組み合わせて構成されてもよい。この場合、制御部２１が情報読取処理または情報書込処理の各処理過程に応じた表示指示情報を表示制御部２２に送信することによって、表示制御部２２は、情報読取処理または情報書込処理の各処理過程に応じて異なる色、文字、記号、または模様等の各種表示出力パターンを可視表示するように、表示部１２を駆動制御できる。これによって、使用者は、処理対象の全ＲＦＩＤタグについて、情報読取処理または情報書込処理の処理過程毎たとえば未実施、処理中、および処理完了のＲＦＩＤタグを容易に判別できる。
【００８１】
さらに、この発明の実施の形態２では、読取対象の情報を記憶部９から読み取ったことをトリガーとしてこの読取対象の情報に関する情報読取処理を完了と判断していたが、この発明はこれに限定されるものではなく、読取対象の情報を変調回路８に送信したことをトリガーとしてこの読取対象の情報に関する情報読取処理を完了と判断してもよい。
【００８２】
また、この発明の実施の形態２では、この発明にかかる情報記憶媒体の一例としてＲＦＩＤタグを用いた場合を例示したが、この発明はこれに限定されるものではなく、この発明にかかる情報記憶媒体の一例として、カード状の樹脂製板にＲＦＩＤタグを埋設した非接触ＩＣカードを用いてもよい。
【００８３】
以上に説明したように、この発明の実施の形態２では、外部の情報端末装置からの指示に基づく情報読取処理または情報書込処理が完了した旨を可視表示する表示部と、この完了した旨を可視表示するための表示駆動電力を生成蓄積する補助的な電力生成部と、この表示駆動電力を動力源としてこの表示部の駆動制御を行う表示制御部とを設け、この情報読取処理または情報書込処理が完了したか否かを判断し、完了と判断した場合に、この表示制御部が、この表示部に対し、この完了した旨を外部に可視表示する駆動制御を行うように構成した。したがって、上述した実施の形態１の作用効果を享受するとともに、外部の情報端末装置との無線通信が終了した場合であっても、この完了した旨の可視表示を使用者に容易に視認させる時間を確保可能な情報記憶媒体を容易に実現することができる。
【００８４】
この情報記憶媒体を用いることによって、使用者は、上述した実施の形態１の場合とほぼ同様に、作業対象の全情報記憶媒体のうち、情報読取作業または情報書込作業が完了済みの情報記憶媒体と完了していない情報記憶媒体とを容易に判別でき、この作業対象の全情報記憶媒体に対し、この情報読取作業または情報書込作業を効率的に行うことができる。
【図面の簡単な説明】
【００８５】
【図１】この発明の実施の形態１であるＲＦＩＤタグの一構成例を示すブロック図である。
【図２】情報読取処理または情報書込処理の完了表示が表示部に表示されるまでの処理工程を例示するフローチャートである。
【図３】表示部の可視表示が切り替わる状態を模式的に例示する模式図である。
【図４】アンテナの一構成例を模式的に示す模式図である。
【図５】アンテナの別の構成例を模式的に示す模式図である。
【図６】この実施の形態１の変形例であるＲＦＩＤタグの表示部に情報読取処理の完了表示を表示させるまでの処理工程を例示するフローチャートである。
【図７】この発明の実施の形態２であるＲＦＩＤタグの一構成例を示すブロック図である。
【図８】表示制御部が表示部に情報読取処理または情報書込処理の完了表示を出力させるまでの処理工程を例示するフローチャートである。
【符号の説明】
【００８６】
１，２０  ＲＦＩＤタグ
２，４  アンテナ
３，５  電力生成部
６  ＲＦ回路
７  復調回路
８  変調回路
９  記憶部
１０，２１  制御部
１０ａ  タイマ
１１  スイッチ回路
１２  表示部
１３  基材
２２  表示制御部
Ｃ１  可視表示領域
Ｓ１，Ｓ２  指示信号
Ｓ３，Ｓ４  データ信号
Ｓ５  切替制御信号
Ｓ６  表示指示信号
Ｓ７  可視表示制御信号
【図１】
2006053653.tif 000003
【図２】
2006053653.tif 000004
【図３】
2006053653.tif 000005
【図４】
2006053653.tif 000006
【図５】
2006053653.tif 000007
【図６】
2006053653.tif 000008
【図７】
2006053653.tif 000009
【図８】
2006053653.tif 000010